(57)【要約】      （修正有）【課題】地震等でエレベータかごに長時間閉じ込められた時、乗客の生理的欲求を解決し、安心して救出を待つことができるエレベータのかご閉じ込め時不安緩和装置を得る。【解決手段】エレベータかごに設けられ、通常時は閉じられており、非常時に開放され、内部に簡易トイレ及び目隠しカーテン７が格納されたかご内収納箱と、かごのコーナー部の両側壁に設けられ、非常時にかご内収納箱から取り出された目隠しカーテンを取り付けるカーテン取付手段６とを備え、非常時に、かごのコーナー部に目隠しカーテンで仕切られた簡易トイレ使用空間を形成する。【選択図】図２
2008150160.tif 000002
【特許請求の範囲】
【請求項１】
エレベータかごに設けられ、通常時は閉じられており、非常時に開放され、内部に簡易トイレ及び目隠しカーテンが格納されたかご内収納箱と、
前記かごのコーナー部の両側壁に設けられ、非常時に前記かご内収納箱から取り出された目隠しカーテンを取り付けるカーテン取付手段とを備え、
非常時に、前記かごのコーナー部に前記目隠しカーテンで仕切られた簡易トイレ使用空間を形成することを特徴とするエレベータのかご閉じ込め時不安緩和装置。
【請求項２】
エレベータかごに設けられ、通常時は閉じられており、非常時に開放され、内部に簡易トイレ及び目隠しカーテンが格納されたかご内収納箱と、
前記かごのコーナー部の両側壁に非常時に取り付けられ、非常時に前記かご内収納箱から取り出された目隠しカーテンを取り付けるカーテン取付手段とを備え、
非常時に、前記かごのコーナー部に前記目隠しカーテンで仕切られた簡易トイレ使用空間を形成することを特徴とするエレベータのかご閉じ込め時不安緩和装置。
【請求項３】
エレベータかごに設けられ、通常時は閉じられており、非常時に開放され、内部に簡易トイレ及び目隠しカーテンが格納されたかご内収納箱と、
前記かごのコーナー部の両側壁に設けられ、非常時に前記かご内収納箱から取り出された目隠しカーテンを取り付けるカーテン取付手段と、
前記かごに設けられ、非常時に前記簡易トイレ及び目隠しカーテンの操作・使用方法を表示するかご内ディスプレイ装置とを備え、
非常時に、前記かごのコーナー部に前記目隠しカーテンで仕切られた簡易トイレ使用空間を形成することを特徴とするエレベータのかご閉じ込め時不安緩和装置。
【請求項４】
エレベータかごに設けられ、通常時は閉じられており、非常時に開放され、内部に簡易トイレ及び目隠しカーテンが格納されたかご内収納箱と、
前記かごのコーナー部の両側壁に設けられ、非常時に前記かご内収納箱から取り出された目隠しカーテンを取り付けるカーテン取付手段と、
前記かごに設けられ、非常時に前記簡易トイレ及び目隠しカーテンの操作・使用方法をアナウンスするかご内アナウンス装置とを備え、
非常時に、前記かごのコーナー部に前記目隠しカーテンで仕切られた簡易トイレ使用空間を形成することを特徴とするエレベータのかご閉じ込め時不安緩和装置。
【請求項５】
かご内ディスプレイ装置の非常時の表示又はかご内アナウンス装置の非常時のアナウンスは、エレベータ停止後の混乱が収まった頃合に通知できるように構成したことを特徴とする請求項３又は請求項４記載のエレベータのかご閉じ込め時不安緩和装置。
【発明の詳細な説明】
【技術分野】
【０００１】
この発明は、エレベータのかご閉じ込め時不安緩和装置に関するものである。
【背景技術】
【０００２】
地震災害時等でエレベータが緊急停止し、エレベータかご内に乗客が閉じ込められ、救出までに長時間を要するようなケースが発生する。このような状況で長時間閉じ込められた場合、乗客には生理的欲求が発生する。生理的欲求が我慢の限界を超えると、かご内で垂れ流しせざるを得なくなり、自分以外に乗客がいるような場合では個人の尊厳が傷つけられるだけでなく、汚物やその異臭でかご内の環境が悪化し、乗客の体調を崩す要因にもなる。
【０００３】
従来は、乗客がかご内に閉じ込められた場合、非常時に用いる携帯ラジオ、懐中電灯、乾パン、非常用水など最小限の物をかご内に備えて、緊急時に役立てようとするものが提案されている(例えば、特許文献１参照)。
【０００４】
【特許文献１】実用新案登録第３１２２６７９号公報
【発明の開示】
【発明が解決しようとする課題】
【０００５】
従来の非常時に用いる非常用物品をかご内に備えて、緊急時に役立てるものでは、乗客がかご内に閉じ込められた場合、給水などの対応は可能であるが、しかし、生理的欲求でトイレに行きたくなった場合は、我慢の限界を超えると、かご内で垂れ流しせざるを得なくなる。また、市販されている尿の固まるドライブ用の携帯トイレ袋があるが、かご内で乗り合わせた人の前で使用するのは難しかった。
【０００６】
この発明は、上述のような課題を解決するためになされたもので、地震等でエレベータかごに長時間閉じ込められた時、乗客の生理的欲求を解決し、安心して救出を待つことができるエレベータのかご閉じ込め時不安緩和装置を提供するものである。
【課題を解決するための手段】
【０００７】
この発明に係るエレベータのかご閉じ込め時不安緩和装置は、エレベータかごに設けられ、通常時は閉じられており、非常時に開放され、内部に簡易トイレ及び目隠しカーテンが格納されたかご内収納箱と、かごのコーナー部の両側壁に設けられ、非常時にかご内収納箱から取り出された目隠しカーテンを取り付けるカーテン取付手段とを備え、非常時に、かごのコーナー部に目隠しカーテンで仕切られた簡易トイレ使用空間を形成するものである。
【０００８】
また、エレベータかごに設けられ、通常時は閉じられており、非常時に開放され、内部に簡易トイレ及び目隠しカーテンが格納されたかご内収納箱と、かごのコーナー部の両側壁に非常時に取り付けられ、非常時にかご内収納箱から取り出された目隠しカーテンを取り付けるカーテン取付手段とを備え、非常時に、かごのコーナー部に目隠しカーテンで仕切られた簡易トイレ使用空間を形成するものである。
【０００９】
また、エレベータかごに設けられ、通常時は閉じられており、非常時に開放され、内部に簡易トイレ及び目隠しカーテンが格納されたかご内収納箱と、かごのコーナー部の両側壁に設けられ、非常時にかご内収納箱から取り出された目隠しカーテンを取り付けるカーテン取付手段と、かごに設けられ、非常時に簡易トイレ及び目隠しカーテンの操作・使用方法を表示するかご内ディスプレイ装置とを備え、非常時に、かごのコーナー部に目隠しカーテンで仕切られた簡易トイレ使用空間を形成するものである。
【００１０】
また、エレベータかごに設けられ、通常時は閉じられており、非常時に開放され、内部に簡易トイレ及び目隠しカーテンが格納されたかご内収納箱と、かごのコーナー部の両側壁に設けられ、非常時にかご内収納箱から取り出された目隠しカーテンを取り付けるカーテン取付手段と、かごに設けられ、非常時に簡易トイレ及び目隠しカーテンの操作・使用方法をアナウンスするかご内アナウンス装置とを備え、非常時に、かごのコーナー部に目隠しカーテンで仕切られた簡易トイレ使用空間を形成するものである。
【００１１】
また、かご内ディスプレイ装置の非常時の表示又はかご内アナウンス装置の非常時のアナウンスは、エレベータ停止後の混乱が収まった頃合に通知できるように構成したものである。
【発明の効果】
【００１２】
この発明によれば、地震等でエレベータかご内に長時間閉じ込められるような場合でも、かご内のコーナー部に簡単に目隠しカーテンで仕切られた簡易トイレ使用空間を作ることができ、その中で簡易トイレを使用することができるので、臭いも気にならず、凝固剤で固めて取り扱いも便利であるため、安心して生理現象を解消でき、不安を緩和し、落ち着いて救出を待つことができる。
【発明を実施するための最良の形態】
【００１３】
実施の形態１．
図１はこの発明の実施の形態１におけるエレベータのかご閉じ込め時不安緩和装置をかご内の一方向から見た斜視図、図２はこの発明の実施の形態１におけるエレベータのかご閉じ込め時不安緩和装置の使用状態をかご内の他の方向から見た斜視図、図３はこの発明の実施の形態１におけるエレベータのかご閉じ込め時不安緩和装置を示すシステム構成図、図４はこの発明の実施の形態１におけるエレベータのかご閉じ込め時不安緩和装置の制御盤側の処理プログラムを示すフローチャート、図５は同じく中央管理センタ側の処理プログラムを示すフローチャートである。
【００１４】
図において、１はエレベータのかご、２はかご１内に設けられたかご内ディスプレイ装置で、後述のエレベータ制御盤８からの制御指令で映像データベース２１から指令された映像データを取り出し表示する。３はかご１内に設けられたかご内オートアナウンス装置で、後述のエレベータ制御盤８からの制御指令で音声データベース３１から指令された音声データを取り出しアナウンスする。４は常時は閉じられており、非常時に開放されるかご内収納箱で、内部には簡易トイレと後述する目隠しカーテン７が格納されている。この簡易トイレは、折り畳み式で場所を取らずしかも簡単に組み立てられ、更に強力消臭剤で臭いが気にならず、凝固剤で水分を固められ取り扱いが容易な市販のものである。５はかご内収納箱４に組み込まれ、エレベータ制御盤の制御指令で施錠、開錠する電気錠、６はかご１のコーナー部の上部両側壁にそれぞれ取り付けられたカーテン取付用フックで、必要があればコーナー部の下部両側壁にも取り付けて良い。なお、このカーテン取付用フック６は、常時はかご内収納箱４内に収納しておき、非常時に取り出して、かご１のコーナー部の上部両側壁面にそれぞれ貼着するような構成としても良い。これにより、通常時は、かご１の側壁面に余分な突出物が存在しないことになるので、見栄えがよくなる。７はかご内収納箱４に格納されており、非常時に取り出されてかご１のコーナー部の上部両側壁に取り付けられたカーテン取付用フック６に上部両側端部を引っ掛けて使用される目隠しカーテンである。また、この目隠しカーテン７は、かご１のコーナー部の下部両側壁に取り付けられたカーテン取付用フック６に下部両側端部を引っ掛けるようにしても良い。８はエレベータ制御盤、９は通信制御装置、１０は電話回線やインターネット等の通信回線、１１は保守会社等に設けられた中央管理センタ、２１は映像データベース、３１は音声データベースである。
【００１５】
次に、この発明のエレベータのかご閉じ込め時不安緩和装置の動作について、図４、図５により説明する。
地震管制運転装置を実装しているエレベータで基準値以上の規模の地震発生を検知すると、走行中であれば最寄階に停止し、戸を開いて乗客をエレベータのかごから降ろし、避難できるようにしている。しかし、地震の規模が大きい場合は、エレベータのかごは緊急停止し、その結果エレベータのかごが階間で停止したままになるケースが発生する。この時エレベータのかご内に乗客が居る場合は、閉じ込め発生となり、通常は比較的短時間でエレベータ保守会社等の保守員が駆けつけ、閉じ込められた乗客を救出する。しかし、地震の規模が大きい場合、例えば、都心であれば交通渋滞を引き起こし、保守員が駆けつけて乗客を救出するまでにかなりの時間を要することも有り得る。また復旧すべきエレベータの数が多く、復旧までに時間のかかることもある。このような場合、閉じ込められた乗客は救出されるまでエレベータのかごの中で長時間を過ごすことになる。この時、発生する乗客の生理的欲求に対し、次のようにして解決する。
【００１６】
図４において、地震が発生すると、ステップＳ１でエレベ−タが階間で停止したかチェックする。階間で停止した場合は、ステップＳ２でかご内に乗客がいるかを判断する。かご内の乗客検出方法は、かごの秤で検出する方法やかごに設置したカメラ画像を解析して検出する方法などがある。ステップＳ２で乗客が存在する場合は、ステップＳ３で閉じ込めタイマーのカウントを開始する。これは緊急停止後、直ぐに簡易トイレの情報を乗客に通知するのではなく、停止直後の混乱が収まった頃合を見計らって通知できるようにするものである。次に、ステップＳ４で閉じ込めタイマーが予め設定されている時間を経過したかをチェックし、時間経過した場合は、ステップＳ５にてかご内収納箱４の電気錠５を開錠する。また、予め設定されている時間を経過していない場合でも、中央管理センタ１１から遠隔でかご内収納箱４の電気錠５の開錠指令を受け取っている場合（ステップＳ６）は、ステップＳ５にてかご内収納箱４の電気錠５を開錠する。開錠の方法は、エレベータ制御盤８から電気錠５に開錠制御指令を出力し、電気錠５を開錠する。次に、ステップＳ５からステップＳ７に進み、ステップＳ７ではかご内ディスプレイ装置２に当該コンテンツ内容を表示する。このコンテンツ内容は、かご内収納箱４が開錠され、その中に簡易トイレ、目隠しカーテン７、カーテン取付用フック６等が収納されていること、更に同梱してある簡易トイレ使用方法を読んで使用すること、目隠しカーテンの使用方法等である。なお、表示の方法は、エレベータ制御盤８がかご内ディスプレイ装置２に表示するコンテンツ識別番号を含む表示指令を出力し、かご内ディスプレイ装置２は映像データベース２１から当該映像データを取り出して表示する。
次に、ステップＳ８でかご内オートアナウンス装置３から音声にて上記コンテンツ内容と同様な情報をアナウンスする。なお、アナウンスの方法は、エレベータ制御盤８がかご内オートアナウンス装置３にアナウンスするコンテンツ識別番号を含むアナウンス指令を出力し、かご内オートアナウンス装置３は指示された音声コンテンツを音声データベース３１から取り出してアナウンスする。
以上のようにして、かご１内のコーナー部に簡単に目隠しカーテン７で仕切られた簡易トイレ使用空間を作ることができ、その中で簡易トイレを使用することができるので、臭いも気にならず、凝固剤で固めて取り扱いも便利である。
【００１７】
次に、中央管理センタの動作について、図５により説明する。
エレベータの閉じ込められた乗客から、かご内の連絡手段、例えばインターフォン等で中央管理センタ１１に連絡があると、中央管理センタ要員は閉じ込められている状況などを把握する（ステップＳ１０）。その時、乗客の生理的欲求の状況も把握し（ステップＳ１１）、トイレ使用要求がある場合は、中央管理システムにトイレ要求有りを入力する。トイレ要求有りが入力されると、ステップＳ１２で中央管理センタ１１から当該エレベータのエレベータ制御盤８にかご内収納箱４の電気錠５の開錠指令を出力する。
【００１８】
上記実施の形態１では、かご内収納箱４に簡易トイレと目隠しカーテンを収納しているが、その他災害時に長時間閉じ込められた時に必要な水や食料等を一緒に収納しても良いことは勿論である。
【図面の簡単な説明】
【００１９】
【図１】この発明の実施の形態１におけるエレベータのかご閉じ込め時不安緩和装置をかご内の一方向から見た斜視図である。
【図２】この発明の実施の形態１におけるエレベータのかご閉じ込め時不安緩和装置の使用状態をかご内の他の方向から見た斜視図である。
【図３】この発明の実施の形態１におけるエレベータのかご閉じ込め時不安緩和装置を示すシステム構成図である。
【図４】この発明の実施の形態１におけるエレベータのかご閉じ込め時不安緩和装置の制御盤側の処理プログラムを示すフローチャートである。
【図５】この発明の実施の形態１におけるエレベータのかご閉じ込め時不安緩和装置の中央管理センタ側の処理プログラムを示すフローチャートである。
【符号の説明】
【００２０】
１  エレベータのかご
２  かご内ディスプレイ装置
３  かご内オートアナウンス装置
４  かご内収納箱
５  電気錠
６  カーテン取付用フック
７  目隠しカーテン
８  エレベータ制御盤
９  通信制御装置
１０  通信回線
１１  中央管理センタ
【図１】
2008150160.tif 000003
【図２】
2008150160.tif 000004
【図３】
2008150160.tif 000005
【図４】
2008150160.tif 000006
【図５】
2008150160.tif 000007